(57)【要約】【課題】２種類の規格の系統で同時に接続可能に構成され、一方の系統が優先的に使用されるインタフェースの利用性を向上させる。【解決手段】ホスト機器と接続可能なデバイス機器は、第１の規格によって規定された第１の接続部と、該第１の規格と異なる第２の規格に準拠して該第１の接続部と独立して設けられた第２の接続部とを備え、該第１の接続部と該第２の接続部とを前記ホスト機器の対応するインタフェースに同時に接続可能なインタフェース部を備える。また、デバイス機器は、第１の接続部に接続され、デバイス機器の少なくとも一部の機能を制御する制御部と、第２の接続部に接続され、第２の規格に準拠したデバイス機器と接続可能な第３の接続部とを備える。【選択図】図１
2012058887.tif 000002
【特許請求の範囲】
【請求項１】
ホスト機器と接続可能なデバイス機器であって、
第１の規格によって規定された第１の接続部と、該第１の規格と異なる第２の規格に準拠して該第１の接続部と独立して設けられた第２の接続部とを備え、該第１の接続部と該第２の接続部とを前記ホスト機器の対応するインタフェースに同時に接続可能なインタフェース部と、
前記第１の接続部に接続され、前記デバイス機器の少なくとも一部の機能を制御する制御部と、
前記第２の接続部に接続され、前記第２の規格に準拠したデバイス機器と接続可能な第３の接続部と
を備えたデバイス機器。
【請求項２】
前記第３の接続部は、入力ポートが前記第２の接続部に接続され、２以上の出力ポートを備えたハブ装置である請求項１記載のデバイス機器。
【請求項３】
前記２以上の出力ポートの１つは、前記制御部に接続された請求項２記載のデバイス機器。
【請求項４】
前記第３の接続部は、前記第２の規格に準拠した接続ポートである請求項１記載のデバイス機器。
【請求項５】
ホスト機器と接続可能なデバイス機器であって、
第１の規格によって規定された第１の接続部と、該第１の規格と異なる第２の規格に準拠して該第１の接続部と独立して設けられた第２の接続部とを備え、該第１の接続部と該第２の接続部とを前記ホスト機器の対応するインタフェースに同時に接続可能なインタフェース部と、
前記第１の接続部に接続され、前記デバイス機器の一部の機能を制御する第１の制御部と、
前記第２の接続部に接続され、前記デバイス機器の他の一部の機能を制御する第２の制御部と
を備えたデバイス機器。
【請求項６】
ホスト機器との接続のためにデバイス機器に設けられるインタフェースであって、第１の規格によって規定された第１の接続部と、該第１の規格と異なる第２の規格に準拠して該第１の接続部と独立して設けられた第２の接続部とを備え、該第１の接続部と該第２の接続部とを前記ホスト機器の対応するインタフェースに同時に接続可能なインタフェースの利用方法であって、
前記第１の接続部を、前記デバイス機器の少なくとも一部の機能を制御する制御部に接続させ、
前記第２の接続部に直接的、または間接的に、前記第２の規格に準拠したデバイス機器を接続させる
インタフェースの利用方法。
【発明の詳細な説明】
【技術分野】
【０００１】
本発明は、ホスト機器と接続可能なデバイス機器に関する。
【背景技術】
【０００２】
パーソナルコンピュータ等のホスト機器と外部記憶装置等のデバイス機器は、種々のインタフェースを介して接続するとデータ通信が可能となる。このようなインタフェースとして、例えば、ＵＳＢインタフェースが知られている（例えば、特許文献１）。ＵＳＢインタフェースとして、ＵＳＢ２．０に準拠したインタフェース（以下、単にＵＳＢ２．０ともいう）に加え、近年、ＵＳＢ３．０に準拠したインタフェース（以下、単にＵＳＢ３．０ともいう）が普及しつつある。
【０００３】
ＵＳＢ２．０とＵＳＢ３．０では、通信モード（半二重方式、全二重方式）や信号線の本数等のデータ通信に関する仕様が異なる。このため、ＵＳＢ２．０インタフェースのデータ伝送速度は最大で４８０Ｍｂｐｓであるのに対し、ＵＳＢ３．０のデータ伝送速度は最大で５Ｇｂｐｓである。このように、ＵＳＢ３．０はＵＳＢ２．０に比べ高速にデータ通信を行うことができる。かかるＵＳＢ３．０のコネクタでは、５Ｇｂｐｓの転送速度を実現するＳｕｐｅｒＳｐｅｅｄ（以下、単にＳＳともいう）の接続端子のほかに、ＵＳＢ２．０に相当する最大４８０Ｍｂｐｓのｎｏｎ−ＳＳの接続端子を備え、ＵＳＢ２．０との下位互換性を実現している。例えば、ＵＳＢ３．０のホスト側コネクタにＵＳＢ２．０のデバイス側コネクタを接続すると、ホスト側コネクタのｎｏｎ−ＳＳの接続端子と、デバイス側コネクタの接続端子とが接続され、ＵＳＢ２．０に準拠した通信が可能となる。
【０００４】
一方、ＵＳＢ３．０に準拠したホスト機器とデバイス機器とを接続すると、ＳＳとｎｏｎ−ＳＳとの両方で物理的に接続される。このとき、ホスト機器は、ＳＳとｎｏｎ−ＳＳの両方のポートを開放するが、ＳＳで論理的な接続関係が確立すると、デバイス機器側のファームウェアなどの制御によって、ｎｏｎ−ＳＳは実際の通信には使用されることはない。このように、ＳＳのみを使用し、ｎｏｎ−ＳＳを使用しないＵＳＢ３．０の構成は、ハードウェア資源の有効活用の観点から、改善の余地を残していた。かかる問題は、ＵＳＢ３．０に限るものではなく、２種類の規格の系統で同時に接続可能に構成され、一方の系統が優先的に使用されるインタフェースに共通する問題であった。
【先行技術文献】
【特許文献】
【０００５】
【特許文献１】特開２００４−３６２０２４号公報
【特許文献２】特開２００６−６５８３３号公報
【発明の概要】
【発明が解決しようとする課題】
【０００６】
上述の問題の少なくとも一部を考慮し、本発明が解決しようとする課題は、２種類の規格の系統で同時に接続可能に構成され、一方の系統が優先的に使用されるインタフェースの利用性を向上させることである。
【課題を解決するための手段】
【０００７】
本発明は、上述の課題の少なくとも一部を解決するためになされたものであり、以下の形態又は適用例として実現することが可能である。
【０００８】
［適用例１］ホスト機器と接続可能なデバイス機器であって、
第１の規格によって規定された第１の接続部と、該第１の規格と異なる第２の規格に準拠して該第１の接続部と独立して設けられた第２の接続部とを備え、該第１の接続部と該第２の接続部とを前記ホスト機器の対応するインタフェースに同時に接続可能なインタフェース部と、
前記第１の接続部に接続され、前記デバイス機器の少なくとも一部の機能を制御する制御部と、
前記第２の接続部に接続され、前記第２の規格に準拠したデバイス機器と接続可能な第３の接続部と
を備えたデバイス機器。
【０００９】
かかる構成のデバイス機器は、インタフェース部を介して、当該インタフェースに対応するホスト機器と接続すると、第１の規格によって規定された第１の接続部と、第２の規格によって規定された第２の接続部とが同時に接続される。第１の接続部は、デバイス機器の少なくとも一部の機能を制御する制御部に接続されるので、第１の規格を用いたホスト機器との通信を用いて、デバイス機器の少なくとも一部の機能を実現することができる。また、第２の接続部は、第２の規格に準拠したデバイスと接続可能な第３の接続部に接続されるので、第３の接続部に直接的に、あるいは、間接的に第２の規格に準拠したデバイス機器を接続すれば、当該デバイス機器において、第２の規格を用いたホスト機器との通信を行うことができる。したがって、第１の規格に準拠した通信と第２の規格に準拠した通信とを同時に行うことができ、インタフェースの利用性を向上させることができる。
【００１０】
［適用例２］前記第３の接続部は、入力ポートが前記第２の接続部に接続され、２以上の出力ポートを備えたハブ装置である適用例１記載のデバイス機器。
【００１１】
かかる構成のデバイス機器は、第２の接続部に２以上の出力ポートを備えたハブ装置が接続されるので、第２の規格に準拠した複数のデバイス機器を同時に接続することができ、インタフェースの利用性を更に向上させることができる。
【００１２】
［適用例３］前記２以上の出力ポートの１つは、前記制御部に接続された適用例２記載のデバイス機器。
【００１３】
かかる構成のデバイス機器は、第２の規格に準拠した第２の接続部に接続されたハブ装置の出力ポートの１つが制御部に接続されるので、制御部は、ホスト機器と第２の規格に準拠した通信を行うことができる。したがって、ホスト機器が第２の規格に準拠し、第１の規格に準拠していない場合であっても、制御部は、第２の規格に準拠してホスト機器と通信を行うことができ、利便性が向上する。
【００１４】
［適用例４］前記第３の接続部は、前記第２の規格に準拠した接続ポートである適用例１記載のデバイス機器。
【００１５】
かかる構成のデバイス機器は、第３の接続部が第２の規格に準拠した接続ポートとして構成されるので、第３の接続部に第２の規格に準拠したデバイス機器を接続すれば、第１の規格に準拠した通信と第２の規格に準拠した通信とを同時に行うことができ、インタフェースの利用性を向上させることができる。
【００１６】
［適用例５］ホスト機器と接続可能なデバイス機器であって、第１の規格によって規定された第１の接続部と、該第１の規格と異なる第２の規格に準拠して該第１の接続部と独立して設けられた第２の接続部とを備え、該第１の接続部と該第２の接続部とを前記ホスト機器の対応するインタフェースに同時に接続可能なインタフェース部と、前記第１の接続部に接続され、前記デバイス機器の一部の機能を制御する第１の制御部と、前記第２の接続部に接続され、前記デバイス機器の他の一部の機能を制御する第２の制御部とを備えたデバイス機器。
【００１７】
かかる構成のデバイス機器は、インタフェース部を介して、当該インタフェースに対応するホスト機器と接続すると、第１の規格によって規定された第１の接続部と、第２の規格によって規定された第２の接続部とが、ホスト機器のインタフェースに同時に接続される。第１の接続部は、デバイス機器の一部の機能を制御する第１の制御部に接続されるので、第１の規格を用いたホスト機器との通信を用いて、デバイス機器の一部の機能を実現することができる。また、第２の接続部は、デバイス機器の他の一部の機能を制御する第２の制御部に接続されるので、第２の規格を用いたホスト機器との通信を用いて、デバイス機器の他の一部の機能を実現することができる。したがって、第１の規格に準拠した通信と第２の規格に準拠した通信とを同時に行うことができ、インタフェースの利用性を向上させることができる。
【００１８】
また、本発明は、適用例６のインタフェースの利用方法としても実現することができる。
［適用例６］ホスト機器との接続のためにデバイス機器に設けられるインタフェースであって、第１の規格によって規定された第１の接続部と、該第１の規格と異なる第２の規格に準拠して該第１の接続部と独立して設けられた第２の接続部とを備え、該第１の接続部と該第２の接続部とを前記ホスト機器の対応するインタフェースに同時に接続可能なインタフェースの利用方法であって、前記第１の接続部を、前記デバイス機器の少なくとも一部の機能を制御する制御部に接続させ、前記第２の接続部に直接的、または間接的に、前記第２の規格に準拠したデバイス機器を接続させるインタフェースの利用方法。
【図面の簡単な説明】
【００１９】
【図１】本発明の第１実施例としてのデバイス２００の概略構成と使用例とを示す説明図である。
【図２】本発明の第２実施例としてのデバイス４００の概略構成と使用例とを示す説明図である。
【図３】本発明の第３実施例としてのデバイス６００の概略構成と使用例とを示す説明図である。
【発明を実施するための形態】
【００２０】
本発明の実施例について説明する。
Ａ．第１実施例：
本発明のデバイス機器の第１実施例としてのデバイス２００の概略構成と使用例とを図１に示す。図示するように、デバイス２００は、ホスト１００とデバイス３００とに接続されている。ホスト１００は、ＵＳＢ３．０に準拠したホスト機器である。デバイス２００は、ＵＳＢ３．０に準拠したデバイス機器である。デバイス３００は、ＵＳＢ２．０に準拠したデバイス機器であり、ＵＳＢ３．０には未対応である。本実施例においては、ホスト１００はパーソナルコンピュータ、デバイス２００は、ポータブルハードディスクドライブ、デバイス３００はマウスであるが、装置の種類は、特に制限するものではなく、例えば、プリンタ、キーボード、ＷＥＢカメラ、デジタルカメラなど、種々の装置とすることができる。
【００２１】
ホスト１００は、ＣＰＵ１１１と、ＰＨＹ（PHYsical Layer）１２１，１２２と、コネクタ１４０とを備えている。ＣＰＵ１１１は、ＲＯＭやハードディスク（図示省略）に記憶されたプログラムを実行することで、ホスト１００の動作全般を制御する。また、ＣＰＵ１１１は、所定のプログラムを実行することで、ＵＳＢ全体を制御するホストドライバや、個々のデバイスを制御するデバイスドライバとしても機能する。ＰＨＹ１２１，１２２は、データ送受信／パラレル−シリアル変換などをおこなう物理層回路ブロックであり、それぞれがＣＰＵ１１１に接続されている。ＰＨＹ１２１はＳＳ用に、ＰＨＹ１２２はｎｏｎ−ＳＳ用にそれぞれ設けられている。
【００２２】
コネクタ１４０は、ＵＳＢ３．０に準拠したホスト側のコネクタである。コネクタ１４０は、その内部に、ＳＳ用の接続端子である端子１４１と、ｎｏｎ−ＳＳ用の接続端子である端子１４２とを備えている。端子１４１は、ＵＳＢ３．０の全二重式通信に使用される信号送信線（−）、信号送信線（＋）信号受信線（−）、信号受信線（＋）、ＧＮＤに対応する５つの端子を備えている。端子１４２は、ＵＳＢ２．０の半二重式通信に使用されるＤ−、Ｄ＋に対応する２つの端子を備えている。なお、図示は省略するが、コネクタ１４０は、端子１４１，１４２の他に、バスパワード電源を供給するためのＶＢＵＳ端子とＧＮＤ端子とを備えている。このＶＢＵＳ端子とＧＮＤ端子とは、ＳＳ、ｎｏｎ−ＳＳの両方に共通して用いられる。なお、ＵＳＢ２．０では、端子１４２に相当する端子、ＶＢＵＳ端子及びＧＮＤ端子のみが規定されている。端子１４１は、ＰＨＹ１２１に接続され、端子１４２は、ＰＨＹ１２２に接続されている。このように、ホスト１００は、ＵＳＢ３．０に準拠して、ＰＨＹ１２１と端子１４１とを備えたＳＳ用の系統と、ＰＨＹ１２２と端子１４２とを備えたｎｏｎ−ＳＳ用の系統との２系統のハードウェアインタフェースを備えている。
【００２３】
デバイス２００は、ＣＰＵ２１１とＰＨＹ２２１とケーブル２３０とコネクタ２４０とポート２６２とを備えている。ＣＰＵ２１１は、ＲＯＭ（図示省略）に記憶されたプログラムを実行することで、ハードディスクドライブ（図示省略）に対するデータの読み出しと書き込みとを制御するほか、ＵＳＢ３．０を介したホスト１００との通信を制御する。ＰＨＹ２２１は、ＳＳ用のＰＨＹであり、ＣＰＵ２１１に接続されている。ポート２６２は、ＵＳＢ２．０に準拠した１つのポートである。ポート２６２は、その内部に端子１４２と同様の端子を備えている。このポート２６２は、請求項の第３の接続部に該当する。
【００２４】
ケーブル２３０は、ＵＳＢ３．０に準拠したケーブルであり、デバイス２００の筐体から延出している。このケーブル２３０は、その内部に全二重式信号線（信号送信線（−）、信号送信線（＋）信号受信線（−）、信号受信線（＋）、ＧＮＤ）であるＳＳ線２３１と、半二重式信号線（Ｄ−、Ｄ＋）であるｎｏｎ−ＳＳ線２３２とを備えている。また、ケーブル２３０の内部には、１本の電源線と接地線とを備えている（図示省略）。
【００２５】
コネクタ２４０は、ＵＳＢ３．０に準拠したデバイス側のコネクタであり、その内部に、第１の接続部２４１と第２の接続部２４２とを備えている。なお、図示は省略するが、コネクタ１４０は、第１の接続部２４１，第２の接続部２４２の他に、ＶＢＵＳ端子とＧＮＤ端子とを備えている。第１の接続部２４１は、ＵＳＢ３．０に準拠したＳＳ用の端子であり、コネクタ１４０の端子１４１に対応する５つの端子を備えている。この第１の接続部２４１の端子は、コネクタ２４０側から見ると、第１の接続部２４１にＳＳ線２３１を介してＰＨＹ２２１が接続され、さらにその先にＣＰＵ２１１が接続されている。第２の接続部２４２は、ＵＳＢ２．０相当のｎｏｎ−ＳＳ用の端子であり、コネクタ１４０の端子１４２に対応する２つの端子を備えている。この第２の接続部２４２の端子は、コネクタ２４０側から見ると、ｎｏｎ−ＳＳ線２３２を介してポート２６２に接続されている。なお、コネクタ２４０が備えるＶＢＵＳ端子及びＧＮＤ端子とは、ケーブル２３０の電源線及び接地線にそれぞれ接続され、デバイス２００の回路基盤上で分岐して、ＣＰＵ２１１とポート２６２の両方に接続されている（図示省略）。
【００２６】
かかる第１の接続部２４１及び第２の接続部２４２を備えたコネクタ２４０をホスト１００のコネクタ１４０に差し込むことによって、コネクタ２４０の第１の接続部２４１とコネクタ１４０の端子１４１、コネクタ２４０の第２の接続部２４２とコネクタ１４０の端子１４２とがそれぞれ電気的に接続される。また、コネクタ１４０が備えるＶＢＵＳ端子及びＧＮＤ端子と、コネクタ２４０が備えるＶＢＵＳ端子及びＧＮＤ端子とがそれぞれ接続される。なお、ＵＳＢ２．０対応機器とＵＳＢ３．０対応機器とが接続される場合には、ＵＳＢ２．０のコネクタは、端子１４１に相当するＳＳ用の接続端子を備えていないので、Ｄ−端子、Ｄ＋端子、ＶＢＵＳ端子及びＧＮＤ端子のみが接続され、ｎｏｎ−ＳＳの通信のみが可能となる。
【００２７】
デバイス３００は、ケーブル３３０とコネクタ３４０とを備えている。ケーブル３３０は、ＵＳＢ２．０に準拠したケーブルであり、その内部に信号線（Ｄ＋，Ｄ−）、電源線及び接地線を備えている。コネクタ３４０は、ＵＳＢ２．０に準拠したデバイス側のコネクタであり、その内部にＶＢＵＳ、Ｄ−、Ｄ＋、ＧＮＤに対応する４つの端子を備えている。このコネクタ３４０を、デバイス２００のポート２６２に差し込むことによって、ポート２６２とコネクタ３４０とが電気的に接続される。
【００２８】
このように接続されたホスト１００，デバイス２００，デバイス３００は、内部的に見れば、ホスト１００のＣＰＵ１１１が、ＵＳＢ３．０（ＳＳ）を介してデバイス２００のＣＰＵ２１１と接続され、さらにこれと平行して、ＵＳＢ２．０（ｎｏｎ−ＳＳ）を介してデバイス３００と接続される。
１と接続されている。
【００２９】
このようにホスト１００とデバイス２００とデバイス３００とが接続されると、ホスト１００のＣＰＵ１１１は、ＵＳＢ３．０を介して通信可能にデバイス２００のＣＰＵ２１１と論理的な接続関係を確立する。また、ＣＰＵ１１１は、ＵＳＢ２．０を介して通信可能にデバイス３００と論理的な接続関係を確立する。
【００３０】
かかる構成のデバイス２００は、ＵＳＢ３．０インタフェースを介してＵＳＢ３．０に準拠したホスト機器と接続すると、ＵＳＢ３．０によって規定された第１の接続部２４１と、ＵＳＢ３．０よりも下位の規格であるＵＳＢ２．０との互換性確保のために設けられた規定された第２の接続部２４２とが、ホスト１００のＵＳＢ３．０インタフェースに同時に接続される。第１の接続部２４１は、デバイス２００の少なくとも一部の機能を制御するＣＰＵ２１１に接続されるので、ＵＳＢ３．０を用いたホスト１００との通信を用いて、ホスト１００の少なくとも一部の機能を実現することができる。また、第２の接続部２４２は、ＵＳＢ２．０に準拠したデバイスと接続可能なポート２６２に接続されるので、ポート２６２にＵＳＢ２．０に準拠したデバイス３００を接続すれば、デバイス３００において、ＵＳＢ２．０を用いたホスト１００との通信を行うことができる。したがって、ＵＳＢ３．０に準拠した通信とＵＳＢ２．０に準拠した通信とを同時に行うことができ、ＵＳＢ３．０インタフェースの利用性を向上させることができる。しかも、ホスト１００のＵＳＢ３．０ポート１つを使用するだけで、ホスト１００と複数のデバイスとを通信可能に接続することができ、ホスト１００の限りあるＵＳＢポートを効率的に有効活用することができる。なお、ＵＳＢ２．０は、それよりも下位のＵＳＢ１．１やＵＳＢ１．０と下位互換性が確保されているので、ポート２６２には、ＵＳＢ１．１やＵＳＢ１．０に準拠したデバイスを接続することも可能である。
【００３１】
Ｂ．第２実施例：
本発明の第２実施例について説明する。本発明のデバイス機器の第２実施例としてのデバイス４００の概略構成と使用例とを図２に示す。図２において、第１実施例（図１）と同様の構成については、図１と同一の符号を付して説明を省略し、第１実施例と異なる点についてのみ説明する。図示するように、第２実施例としてのデバイス４００は、ホスト１００とデバイス３００とデバイス５００とに接続されている。
【００３２】
ホスト１００の構成は、第１実施例と同様である。デバイス４００は、第１実施例のポート２６２に代えて、ＨＵＢ４６０とＰＨＹ４２２とを備える点が第１実施例と異なり、その他の構成は第１実施例と同様である。デバイス４００においては、第２の接続部２４２は、ｎｏｎ−ＳＳ線２３２を介して、ＨＵＢＵ４６０の入力ポートに接続されている。このＨＵＢ４６０は、ＵＳＢ２．０に準拠しており、１つの入力と複数の出力との間で通信を中継する。このＨＵＢ４６０は、請求項の第３の接続部に該当する。本実施例では、ＨＵＢ４６０は、電源線を介してホスト１００から供給を受けたバスパワーを電源とするが、ＡＣアダプタなどから電源の供給を受けてもよい。
【００３３】
本実施例のＨＵＢ４６０は、ＵＳＢ２．０に準拠した３つの出力ポート４６１〜４６３を備えている。このうちの１つの出力ポート４６１は、ＰＨＹ４２２を介してＣＰＵ２１１に接続されている。なお、ＨＵＢ４６０の出力がＣＰＵ２１１と接続される構成は、必須ではない。ＰＨＹ４２２は、ＵＳＢ２．０に準拠している。他の出力ポート４６２，４６３は、デバイス４００の筐体に露出して設けられている。出力ポート４６２には、第１実施例で示したデバイス３００がＵＳＢ２．０のコネクタ３４０を介して接続されている。同様に、出力ポート４６３には、ケーブル５３０とコネクタ５４０とを備えたデバイス５００が接続されている。このデバイス５００は、デバイス３００と同一構成である。なお、ＨＵＢ４６０の出力ポートは、２以上であればよい。
【００３４】
かかる構成のデバイス４００は、ＵＳＢ２．０に準拠した第２の接続部２４２に２以上の出力ポートを備えたハブ４６０が接続されるので、ホスト１００とデバイス６００とをＵＳＢ３．０に準拠して通信可能に接続できることに加えて、ＵＳＢ２．０に準拠した複数のデバイスを同時に通信可能に接続することができ、ＵＳＢ３．０インタフェースの利用性を更に向上させることができる。
【００３５】
しかも、デバイス４００は、ハブ４６０の出力ポートの１つがＣＰＵ２１１に接続されるので、ＣＰＵ２１１は、ホスト１００とＵＳＢ２．０に準拠した通信を行うことができる。したがって、ホスト１００がＵＳＢ２．０に準拠し、ＵＳＢ３．０に準拠していない場合であっても、ＣＰＵ２１１は、ＵＳＢ２．０に準拠してホスト１００と通信を行うことができ、利便性が向上する。
【００３６】
Ｃ．第３実施例：
本発明の第３実施例について説明する。本発明のデバイス機器の第３実施例としてのデバイス６００の概略構成と使用例とを図３に示す。図３において、第１実施例（図１）と同様の構成については、図１と同一の符号を付して説明を省略し、第１実施例と異なる点についてのみ説明する。図示するように、第３実施例としてのデバイス６００は、ホスト１００に接続されている。
【００３７】
ホスト１００の構成は、第１実施例と同様である。デバイス６００は、本実施例では、ポータブルハードディスクドライブであり、ＣＰＵ２１１とＰＨＹ２２１，４２２とデバイス７００とケーブル２３０とコネクタ２４０とを備えている。ＣＰＵ２１１、ＰＨＹ２２１、ケーブル２３０、コネクタ２４０の構成は、第１実施例と同様である。デバイス７００は、ＵＳＢ２．０に準拠したデバイスであり、デバイス６００に内蔵されている。デバイス７００は、本実施例では、ビデオキャプチャデバイスである。このデバイス７００は、ＰＨＹ７２２とＣＰＵ７１２とを備えている。ＰＨＹ７２２は、ＵＳＢ２．０に準拠したＰＨＹである。ＣＰＵ７１２は、デバイス７００の動作全般を制御する。
【００３８】
デバイス６００においては、第２の接続部２４２は、ｎｏｎ−ＳＳ線２３２を介して、デバイス７００のＰＨＹ７２２に接続され、さらにその先でＣＰＵ７１２に接続されている。このＣＰＵ７１２は、ＣＰＵ２１１と接続されている。かかるデバイス６００では、例えば、ホスト１００のディスプレイに表示された画像を、第２の接続部２４２及びｎｏｎ−ＳＳ線２３２を介して、デバイス７００がキャプチャし、ＣＰＵ２１１に出力することで、キャプチャ画像をハードディスクに記憶することができる。
【００３９】
かかる構成のデバイス６００は、ＵＳＢ２．０に準拠した第２の接続部２４２が、デバイス６００に内蔵されたデバイス７００に接続されるので、ホスト１００とデバイス６００の機能の一部（本実施例では、ハードディスクドライブ）を制御するＣＰＵ２１１とをＵＳＢ３．０に準拠して通信可能に接続できることに加えて、ホスト１００とデバイス６００の機能の他の一部（本実施例では、ビデオキャプチャ）を制御するＣＰＵ７１２とをＵＳＢ２．０に準拠して通信可能に接続できるので、ＵＳＢ３．０インタフェースの利用性を向上させることができる。
【００４０】
上述した実施形態の変形例について説明する。
Ｄ：変形例：
Ｄ−１．変形例１：
上述の実施形態においては、ＵＳＢ３．０デバイス、例えば、デバイス２００は、ＵＳＢ３．０ケーブルを備える構成としたが、ケーブルを備えない構成としてもよい。すなわち、ＵＳＢ３．０デバイスは、ＵＳＢ３．０ケーブルとの接続端子を備え、別体で用意したＵＳＢ３．０ケーブルを用いてＵＳＢ３．０ホストに接続される構成としてもよい。
【００４１】
Ｄ−２．変形例２：
上述の実施形態においては、ＵＳＢ３．０インタフェースを備えたデバイス機器について例示したが、本発明のデバイス機器が備えるインタフェースは、ＵＳＢ３．０に限るものではなく、下位互換性確保のために２種類の規格の系統（信号線）で同時に接続可能に構成され、一方の系統が優先的に使用される種々のインタフェースとすることができる。もとより、２種類の規格は、下位互換性確保のために設けられたものに限らず、相互に共通する構成のない規格であってもよい。
【００４２】
以上、本発明の実施形態について説明したが、上述した実施形態における本発明の構成要素のうち、独立クレームに記載された要素以外の要素は、付加的な要素であり、適宜省略または組み合わせが可能である。また、本発明はこうした実施形態に限られるものではなく、本発明の要旨を脱しない範囲において、種々なる態様で実施できることは勿論である。例えば、本発明は、電源装置としての構成のほか、ＡＣプラグ装置、電源装置の本体、複数種類のＡＣプラグ装置と、これらに共通して使用される本体とを備えた電源装置セット等としても実現することができる。
【符号の説明】
【００４３】
１００…ホスト
１１１…ＣＰＵ
１２１，１２２…ＰＨＹ
１４０…コネクタ
１４１，１４２…端子
２００，３００，４００，５００，６００，７００…デバイス
２１１，７１２…ＣＰＵ
２２１，７２２…ＰＨＹ
２３０，３３０，５３０…ケーブル
２３１…ＳＳ線
２３２…ｎｏｎ−ＳＳ線
２４０，３４０，５４０…コネクタ
２４１…第１の接続部
２４２…第２の接続部
２６２…ポート
４６０…ＨＵＢ
４６１〜４６３…出力ポート
【図１】
2012058887.tif 000003
【図２】
2012058887.tif 000004
【図３】
2012058887.tif 000005